(57)【要約】【課題】検出精度を犠牲にすることなく、消費電力量を小さくすることが出来る電流出力式の検出装置を提供すること。【解決手段】検出装置は、センサ回路と、センサ回路の検出結果の信号を受けて検出信号を出力するセンサ信号処理回路と、センサ回路とセンサ信号処理回路に制御信号を出力し、センサ信号処理回路から検出信号を入力する制御回路と、を備え、センサ回路とセンサ信号処理回路は、制御回路からの制御信号によって間欠的に動作する構成とした。【選択図】図１
2015075949.tif 000002
【特許請求の範囲】
【請求項１】
検出結果に応じて装置自身の消費電流量を変化させる電流出力式の検出装置であって、
検出すべき物理量を検出するセンサ回路と、
前記センサ回路の検出結果の信号を受けて検出信号を出力するセンサ信号処理回路と、
前記センサ回路と前記センサ信号処理回路に制御信号を出力し、前記センサ信号処理回路から検出信号を入力する制御回路と、を備え、
前記センサ回路と前記センサ信号処理回路は、前記制御信号によって間欠的に動作することを特徴とする検出装置。
【請求項２】
前記検出装置は、更に、定電流回路を備え、
前記定電流回路は、前記制御信号によって定電流を流すことを特徴とする請求項１に記載の検出装置。
【請求項３】
前記制御回路は、前記センサ信号処理回路から検出信号が入力されている間は、少なくとも前記センサ回路と前記センサ信号処理回路のいずれかに制御信号を出力し、
前記検出装置の消費電流を増加させることを特徴とする請求項１または２に記載の検出装置。
【請求項４】
前記制御回路は、前記センサ信号処理回路から検出信号が入力されていない間は、少なくとも前記センサ回路と前記センサ信号処理回路のいずれかに制御信号を出力し、
前記検出装置の消費電流を増加させることを特徴とする請求項１または２に記載の検出装置。
【発明の詳細な説明】
【技術分野】
【０００１】
本発明は、検出結果に応じて装置自身の消費電流量を変化させる電流出力式の検出装置に関する。
【背景技術】
【０００２】
例えば磁気センサ等の検出結果に応じて装置自身の消費電流量を変化させる電流出力式の検出装置において、消費電力量の増大化を抑制しつつ、電源電圧に変動が生じても検出精度の低下を抑制することが重要である（例えば、特許文献１参照）。
【０００３】
図８に、従来の電流出力式の検出装置のブロック図を示す。従来の電流出力式の検出装置１は、磁気検出素子等によって構成された検出回路部４と、検出回路部４を起動する起動機能部５とからなる。検出装置１は、電源端子Ｖｃｃに電力供給源２の陽極側が接続され、接地端子Ｖｓｓに測定用抵抗Ｒを介して電力供給源２の陰極側が接続される。測定用抵抗Ｒの両端には測定部３が並列接続されている。
【０００４】
起動機能部５は、検出回路部４に定電流Ｉｎを供給する定電流源として機能し、自身は起動電流Ｉｓを流す。検出回路部４は、起動機能部５から供給される定電流Ｉｎにより起動し、検出結果を示す検出電流Ｉｘを出力する。従って、検出装置１の消費電流Ｉは、起動電流Ｉｓと検出電流Ｉｘの総和となる。よって、測定部３は、この消費電流Ｉを測定することで、検出結果を認識することが出来る。
【０００５】
ここで、検出装置１は、起動機能部５と検出回路部４の間に、電力供給回路部および電流安定回路部を設けたことによって、電源電圧変動に起因する検出装置の消費電流のバラツキが抑制され、高い精度で検出結果を得ることが可能となる。従って、起動電流Ｉｓと検出電流Ｉｘの電流値を低く設定することが出来るので、検出装置１は、消費電力量を小さくすることが出来る。
【先行技術文献】
【特許文献】
【０００６】
【特許文献１】特開２００７−１５６９９７号公報
【発明の概要】
【発明が解決しようとする課題】
【０００７】
しかしながら、従来の電流出力式の検出装置１は、起動機能部５の起動電流Ｉｓが常に流れているため、さらなる低消費電力量化に対応することが出来ない。
【０００８】
本発明は、以上のような課題を解決するために考案されたものであり、検出精度を犠牲にすることなく、消費電力量を小さくすることが出来る電流出力式の検出装置を提供するものである。
【課題を解決するための手段】
【０００９】
従来の課題を解決するために、本発明の電流出力式の検出装置は、センサ回路と、センサ回路の検出結果の信号を受けて検出信号を出力するセンサ信号処理回路と、センサ回路とセンサ信号処理回路に制御信号を出力し、センサ信号処理回路から検出信号を入力する制御回路と、を備え、センサ回路とセンサ信号処理回路は、制御回路からの制御信号によって間欠的に動作する構成とした。
【発明の効果】
【００１０】
本発明の電流出力式の検出装置によれば、制御回路１１がセンサ回路１２とセンサ信号処理回路１３を間欠駆動するように構成したので、従来技術に比較して検出精度を犠牲にすることなく、消費電流を低減することが出来るという効果がある。
【図面の簡単な説明】
【００１１】
【図１】第１の実施例の電流出力式の検出装置を示すブロック図である。
【図２】第１の実施例の電流出力式の検出装置の動作と消費電流の関係を示す図である。
【図３】第２の実施例の電流出力式の検出装置を示すブロック図である。
【図４】第２の実施例の電流出力式の検出装置の動作と消費電流の関係の一例を示す図である。
【図５】第２の実施例の電流出力式の検出装置の動作と消費電流の関係の他の例を示す図である。
【図６】本発明の電流出力式の検出装置を備えたセンサシステムの一例を示すブロック図である。
【図７】本発明の電流出力式の検出装置を備えたセンサシステムの他の例を示すブロック図である。
【図８】従来の電流出力式の検出装置のブロック図である。
【発明を実施するための形態】
【００１２】
以下、図面を参照して、本発明の電流出力式の検出装置について説明する。
【実施例１】
【００１３】
図１は、第１の実施例の電流出力式の検出装置１０を示すブロック図である。
本実施例の電流出力式の検出装置１０は、制御回路１１と、センサ回路１２と、センサ信号処理回路１３とを備えている。
【００１４】
制御回路１１は、センサ回路１２とセンサ信号処理回路１３に制御信号を出力し、センサ信号処理回路１３から検出信号を入力する。センサ回路１２は、制御回路１１から制御信号を入力すると、起動して検出動作をする。センサ信号処理回路１３は、制御回路１１から制御信号を入力すると、起動してセンサ回路１２の検出結果に応じて検出信号を出力する。
【００１５】
次に、本実施例の電流出力式の検出装置の動作について説明する。図２は、本実施例の電流出力式の検出装置１０の動作と消費電流の関係を示す図である。
制御回路１１は、例えば発振回路とカウンタを備えていて、間欠的に制御信号を出力し、センサ回路１２とセンサ信号処理回路１３を起動する。センサ回路１２とセンサ信号処理回路１３が停止している状態をスリープ状態ｔｓｌ、起動している状態をアウェイク状態ｔａｗとする。スリープ状態ｔｓｌでは制御回路１１のみが動作しているので、検出装置１０の消費電流はスリープ電流Ｉｓｌである。アウェイク状態ｔａｗでは全ての回路が動作しているので、検出装置１０の消費電流はアウェイク電流Ｉａｗである。
【００１６】
期間Ｔ１は、センサ回路１２が検出すべき物理量が検出レベルに達してない非検出期間である。センサ回路１２は、センサ信号処理回路１３を介して検出信号を制御回路１１に出力しない。従って、検出装置１０はスリープ状態ｔｓｌとアウェイク状態ｔａｗを繰り返している。この非検出期間Ｔ１では、検出装置１０の消費電流はＩＤＤＬである。
【００１７】
期間Ｔ２は、センサ回路１２が検出すべき物理量が検出レベルに達した検出期間である。センサ回路１２は、センサ信号処理回路１３を介して検出信号を制御回路１１に出力する。制御回路１１は、検出信号を入力されている間はセンサ回路１２とセンサ信号処理回路１３に制御信号を出力してアウェイク電流Ｉａｗを維持する。このとき、センサ回路１２は、非検出期間Ｔ１と同様に間欠動作する。この検出期間Ｔ２では、検出装置１０の消費電流はＩＤＤＨである。
【００１８】
センサ回路１２が検出すべき物理量が検出レベルに達しなくなった非検出期間Ｔ３では、検出装置１０は、再びスリープ状態ｔｓｌとアウェイク状態ｔａｗを繰り返して、消費電流はＩＤＤＬになる。
【００１９】
図６は、本発明の電流出力式の検出装置１０を備えたセンサシステムの一例を示すブロック図である。センサシステムは、検出装置１０と、電力供給源２と、測定部３、測定用抵抗Ｒとを備えている。測定部３は、測定用抵抗Ｒの両端の電圧を測定して、検出装置１０の検出結果を判断する。本実施例の検出装置１０は、図２に示すような消費電流で検出結果を示すので、測定部３は、例えば、一定期間の間に電圧が検出電圧ＶＤＤＨであることを測定すると、検出信号と判断するように構成されても良い。検出電圧ＶＤＤＨは、アウェイク電流Ｉａｗが測定用抵抗Ｒに流れたときの電圧である。
【００２０】
図７は、本発明の電流出力式の検出装置１０を備えたセンサシステムの他の例を示すブロック図である。センサシステムは、更にフィルタ回路６を更に備えている。フィルタ回路６は、非検出期間の時のスリープ電流Ｉｓｌとアウェイク電流Ｉａｗの繰り返しの波形が非検出電流ＩＤＤＬになるようにする。従って、測定部３は、測定した電圧が検出電圧ＶＤＤＨであるか非検出電圧ＶＤＤＬであるかで、検出信号か非検出信号かを判断することが出来る。非検出電圧ＶＤＤＬは、スリープ電流Ｉｓｌとアウェイク電流Ｉａｗが交互に測定用抵抗Ｒに流れたときの電圧である。
【００２１】
以上記載したように、本実施例の電流出力式の検出装置１０は、制御回路１１がセンサ回路１２とセンサ信号処理回路１３を間欠駆動するように構成したので、従来技術に比較して検出精度を犠牲にすることなく消費電流を少なくすることが可能となった。
【００２２】
なお、本実施例の電流出力式の検出装置１０は、検出期間Ｔ２において、非検出期間Ｔ１、Ｔ３と同様に間欠動作する構成として説明したが、連続で検出するようにしても良い。このようにすると、早く非検出状態にすることが出来るので、更に消費電流を削減することが出来る。
【実施例２】
【００２３】
図３は、第２の実施例の電流出力式の検出装置１０を示すブロック図である。
本実施例の電流出力式の検出装置１０は、制御回路１１と、センサ回路１２と、センサ信号処理回路１３と、定電流回路１４とを備えている。
【００２４】
制御回路１１は、センサ回路１２とセンサ信号処理回路１３と定電流回路１４に制御信号を出力し、センサ信号処理回路１３から検出信号を入力する。センサ回路１２は、制御回路１１から制御信号を入力すると、起動して検出動作をする。センサ信号処理回路１３は、制御回路１１から制御信号を入力すると、起動してセンサ回路１２の検出結果に応じて検出信号を出力する。定電流回路１４は、制御信号を入力すると、定電流を流して、検出装置１０の消費電流を増加させる。
【００２５】
次に、本実施例の電流出力式の検出装置の動作について説明する。
図４は、本実施例の電流出力式の検出装置１０の動作と消費電流の関係の一例を示す図である。
非検出期間Ｔ１での検出装置１０の動作は、実施例１と同様である。
【００２６】
検出期間Ｔ２では、制御回路１１は、検出信号を入力されている間はセンサ回路１２とセンサ信号処理回路１３に制御信号を出力してアウェイク電流Ｉａｗを維持する。更に、制御回路１１は、検出信号を入力されている間は、定電流回路１４に制御信号を出力する。制御信号を入力されると、定電流回路１４は、定電流を流して検出装置１０の消費電流を増加させる。検出装置１０の消費電流は、アウェイク電流Ｉａｗに定電流回路１４の定電流を加えた電流ＩＤＤＨである。
【００２７】
このように構成すると、測定部３による誤検出が減少するので、センサシステムの消費電流を削減し、かつ信頼性が高まる。
なお、本実施例の電流出力式の検出装置１０は、検出期間Ｔ２において、非検出期間Ｔ１、Ｔ３と同様に間欠動作する構成として説明したが、連続で検出するようにしても良い。このようにすると、早く非検出状態にすることが出来るので、消費電流を削減することが出来る。
【００２８】
図５は、本実施例の電流出力式の検出装置１０の動作と消費電流の関係の他の例を示す図である。
非検出期間Ｔ１での検出装置１０の動作は、実施例１と同様である。
【００２９】
検出期間Ｔ２では、制御回路１１は、例えば、検出信号を入力されている間はセンサ回路１２のみに制御信号を出力して、センサ回路１２の電流のみを流す。更に、制御回路１１は、検出信号を入力されている間は、定電流回路１４に制御信号を出力する。従って、検出装置１０の消費電流は、センサ回路１２の電流に定電流回路１４の定電流を加えた電流ＩＤＤＨである。
【００３０】
このように構成すると、センサシステムの消費電流を更に削減することが出来る。
以上に説明したように、本発明の電流出力式の検出装置１０によれば、従来技術に比較して消費電流を少なくすることが出来る。
【００３１】
更に、測定部３の能力に応じて、検出電流ＩＤＤＨと非検出電流ＩＤＤＬを設定することが可能であるので、センサシステムの消費電流を削減し、かつ信頼性を高めることが出来る。
【００３２】
なお、本発明の電流出力式の検出装置１０は、検出期間Ｔ２において、検出電流として電流ＩＤＤＨを流す構成として説明したが、検出電流を電流ＩＤＤＬにしても良い。このようにすると、検出期間が長く非検出期間が短いシステムの場合に、消費電流を削減することが出来る。
【符号の説明】
【００３３】
２  電力供給源
３  測定部
６  フィルタ回路
１０  検出装置
１１  制御回路
１２  センサ回路
１３  センサ信号処理回路
１４  定電流回路
【図１】
2015075949.tif 000003
【図２】
2015075949.tif 000004
【図３】
2015075949.tif 000005
【図４】
2015075949.tif 000006
【図５】
2015075949.tif 000007
【図６】
2015075949.tif 000008
【図７】
2015075949.tif 000009
【図８】
2015075949.tif 000010